(57)【要約】  プレハブ式鉄筋コンクリートの単身者住宅および上記住宅の建設方法であって、柱（１）、囲壁（４）、スラブ（７）、屋根（９）等のような、その主要構成材が、作業場で鉄筋コンクリートからプレハブ式で作られている。スラブ（７）だけでなく囲壁（４）もそれらの内部に組込んだ精密設備を担持する。これらの構成材を住宅レイアウトに従って機械的に配置する。現場で作った、基礎に始って、タイビームおよび囲壁を支持するための対応する台座を作り、関連する順序で、内部および分割囲壁（８）、階段（１３）、スラブ（７）および外部囲壁（４）を備える住宅の建設へ進み、続いて種々の設備の接続へ進むために、屋根（９）で終る。
2009528464.tif 000002
【特許請求の範囲】
【請求項１】
後に現場へ運び、この住宅レイアウトに従って機械的に配置するために、作業場で鉄筋コンクリートによって作った、プレハブ式鉄筋コンクリート構成材に基づいて建設する種類のプレハブ式鉄筋コンクリートの単身者型住宅であって、囲壁（４）および分割囲壁（８）のための案内として使う、補強したフーチング（２）で基礎に埋込んである一工程プレハブ式鉄筋コンクリート製の柱（１）にして、それらの配置に従って異なる構成を採る柱、前記組立体に荷重負担能力を与えるプレハブ式鉄筋コンクリートの囲壁パネル（４）、前記住宅の内部配分を担当するプレハブ式内部パネル（８）、前記囲壁パネル（４）で支えられるプレハブ式鉄筋コンクリートのスラブ（７）、屋根窓（１０）を作るための特殊部品（９ｂ）を備える、プレハブ式鉄筋コンクリートの切妻屋根（９）、前記柱（１）の頭での二つの支持体を備える連続プレハブ式鉄筋コンクリートの棟梁（１１）にして、前記支持体が側面に溶接ビードによって作った継手である棟梁、並びに完全プレハブ式鉄筋コンクリート部品によって作った階段（１３）を含むことに特徴がある住宅。
【請求項２】
請求項１に記載のプレハブ式鉄筋コンクリートの単身者型住宅であって、前記横柱（１）が中心柱より短いこと、および適当な軸方向鉄筋を備える柱（１）が囲壁パネル（４）と共に本ざね継ぎ機構に属する溝（３）を有し、その大きさは柱によって変ることに特徴がある住宅。
【請求項３】
請求項１または２に記載のプレハブ式鉄筋コンクリートの単身者型住宅であって、各柱（１）がこれらの溝（３）に結合した一連の平鋼（５）を有し、それらを囲壁パネル（４）の上縁とこれらの柱（１）の実際の平鋼（５）の間の継手溶接を実施するために使い、囲壁（４）が重力のために作用するだけでなく、それどころか水平方向に協働することも達成することを特徴とする住宅。
【請求項４】
請求項１から３までのいずれか１項に記載のプレハブ式鉄筋コンクリートの単身者型住宅であって、前記囲壁パネル（４）が、上部領域にあって、前記スラブ（７）の縁を覆う、パネル全体に沿って伸びるスカート（６）を含むことを特徴とする住宅。
【請求項５】
請求項１から４までのいずれか１項に記載のプレハブ式鉄筋コンクリートの単身者型住宅であって、前記屋根（９）が２点で支持される部品（９ａ）で作られ、前記棟梁（１１）では、それを水平溝（１２）に挿入し、かつ前記囲壁（４）では、それらが移動を防ぎ且つ同時に梁の機能を果す部品を有することを特徴とする住宅。
【請求項６】
請求項１から５までのいずれか１項に記載のプレハブ式鉄筋コンクリートの単身者型住宅であって、二つの異なる種類の階段（１３）があり、最初の種類は、スラブ（７）に溶接した二つの継手（２１）を有し、および第２の種類は、地面板（１６）に支えられた半地階（１７）を二階（１８）のスラブ（７）に結合する階段であり、且つ二階（１８）のスラブ（７）に溶接した継手（２１）を有すること、および、その建立を容易にするために、荷重負担能力のない一連の支持体が囲壁（４）に配置してあることに特徴がある住宅。
【請求項７】
請求項１から６までのいずれか１項に記載のプレハブ式鉄筋コンクリートの単身者型住宅であって、屋根（９）が加える横力を、囲壁（４）と柱（１）の間に溶接継手を組込むことによって解決し、従って際梁受けは重力によるだけでなく、横応力に抗する協力もあると言う事実、およびそれが広い建物であるので、有り得る耐震リスクを同じ方法で解決することに特徴がある住宅。
【請求項８】
請求項１から７までのいずれか１項に記載のプレハブ式鉄筋コンクリートの単身者型住宅であって、前記柱（１）を全断面を横断する２本のボルトによって運搬し且つ建立し、囲壁（４）をその上縁に収容した二つの固定点で建立且つ配置し、および前記スラブ（７）をプレハブプロセス中に主骨組に結合した、上面にある四つのアンカで配置することを特徴とする住宅。
【請求項９】
請求項１から８までのいずれか１項に記載のプレハブ式鉄筋コンクリートの単身者型住宅であって、全ての局部据付けを、配線（１４）がそのケーシングと共に、囲壁（４）および内部パネル（８）および内部間仕切り（８）がコンクリートで作ってあるモールドに含まれていて、一旦コンクリートを流し込むと埋込まれるように、囲壁（４）または内部壁材（８）の部品を製作するのと同じプロセスで行うことを特徴とする住宅。
【請求項１０】
請求項１から９までのいずれか１項に記載のプレハブ式鉄筋コンクリートの単身者型住宅であって、一旦これらの設備を囲壁（４）および内部パネル（８）に分配すると、囲壁の上縁にある局部本線ソケット（１５）への接続を担当する、仮天井の上を走る一般的な隠されたネットワークがあること、並びに前記仮天井によって適当に覆われる全ての設備の高さの分配のためにスラブ（７）の各床に作った通路があり、それらの設備は、全て各場合に有効な規則に従う熱および冷水、配管、暖房、電気設備、通信およびドモティック設備から成ることを特徴とする住宅。
【請求項１１】
プレハブ式鉄筋コンクリートの単身者住宅を建設する方法であって、荷重補償機能喪失を起さないようにそれを秩序正しい方法で実行し、以下の方法で高さが増すように実行することを特徴とする方法であって、
柱（１）の荷重を含む他に、囲壁（４）のための支持体として使うように、互いに補強した補強フーチング（２）によって基礎を創り、
完全に水平な地面板（１６）を伸し、その上に前記柱（１）を対応するフーチング（２）に埋め、
外部囲壁（４）を建立し、その初めは、半地階（１７）の囲壁が最初に置くべきものであり、前記囲壁（４）を柱（１）の溝（３）にその頭からこの基礎の支持部まで嵌め込み、
そこで、前記建立プロセスが二つの基準を満たし、前記建立を直線的に且つ高さが増すように実行し、以下のプロセスに従って、囲壁パネル（４）およびスラブ（７）のそれぞれのレベルである、
第１レベル−  半地階（１７）
基礎（フーチング（２））、地面板（１６）、柱（１）、外部囲壁パネル（４）、内部パネル（８）、階段（１３）、
第２レベル−  一階（１８）
スラブ（７）、外部パネル（４）、内部パネル（８）、階段（１３）、
第３レベル−  二階（１９）
スラブ（７）、外部パネル（４）、内部パネル（８）、階段（１３）、
第４レベル−  アティク（２０）
スラブ（７）、外部パネル（４）、内部パネル（８）、屋根の部品（９）、に分割する方法。
【請求項１２】
請求項１１に記載の建設プロセスによって実行した、請求項１ないし１０のいずれか１項に記載のプレハブ式鉄筋コンクリートの単身者型住宅。
【発明の詳細な説明】
【技術分野】
【０００１】
本明細書の名称に表すように、この発明は、以下に詳しく説明するその構成および構造に特有の一連の利点および特徴を有し、且つこの分野で既知のものの革新的代案を伴う、プレハブ式鉄筋コンクリートの単身者住宅および上記住宅の建設方法に関する。
【０００２】
本発明の対象は、特に、完全にプレハブ式鉄筋コンクリートに基づいて建設した、即ち、それに関する柱、囲壁、スラブ、屋根等のような、重要な構成材を全て作業場で鉄筋コンクリートによって作り、後にそれらを現場へ運び、これらのスラブおよび囲壁、並びに正確に且つ都合がよいように検討したその中の水、配管、暖房、電気、通信およびドモティック（ｄｏｍｏｔｉｃ）設備の両方を含む、それらをこの住宅レイアウトに従って機械的に配置した、単身者型住宅（四壁の具備した）から成る。
【０００３】
適用分野
本発明の適用分野は、建設産業、更に具体的には単身者型住宅専門の建設業界にある。
【背景技術】
【０００４】
プレハブ式建築および住宅は、現在の技術水準で目下周知であると言わざるを得ない。
しかし、大抵の場合、上記建築は、完全に作業場で製作した完成モジュールを現場へ運んで据付けることによって作るが、この種の建築は、通常、一般的に木、金属板、または被覆が異なるような材料で作ってあるので強度の弱い、家または小屋、バンガロー型モジュール等から成る。
【０００５】
他方、鉄筋コンクリートによって作った家または住宅の建築に適用するプレハブ式モジュール構成材も知られているが、この場合は作業場で石膏ボード、木等のような異なる材料で作って現場へ据付けた、パネル、間仕切り、ブロック等のような、ある種の構成材にしか関係せず、この建築の残りは従来通り本来の場所で行う。
【０００６】
しかし、本願出願人は、本発明が提案するものに類似する技術的、構造的および本質的特徴を有するプレハブ式鉄筋コンクリートの単身者住宅の存在を知らないことを言わねばならない。
【発明の開示】
【発明が解決しようとする課題】
【０００７】
本発明が提案するプレハブ式鉄筋コンクリートの単身者住宅は、更に、伝統的建築の構成材に比べてその構造を形成する構成材の性能に一連の構造的および有利な差異があるので、その適用分野内でこの様にそれだけで明らかな目新しさを構成する。
【課題を解決するための手段】
【０００８】
従って、伝統的建築のようにコンクリートで作り且つ先に述べたように原位置で実施する基礎は別として、残りの重要な構成材は、作業場で鉄筋コンクリートによって作り且つ現場で建立し、そのような構成材の主な利点は次の通りである。
−  伝統的建築では建物の荷重の支承とそれらの基礎へ伝達、水平応力のために柱間の結合クランプの形成を担当する柱が、本発明の住宅では単独且つ排他的に屋根部品の荷重を支承し、囲壁の案内として使われる。
−  本発明の住宅のスラブは、使用荷重を支持するがそれらを囲壁へ伝え、伝統的建築のように柱へは伝えない。
−  これらの囲壁および壁材は、住宅に絶縁をもたらし且つ物理的部屋を創り、絶縁をもたらすこととは別に、建物正面に装飾的要素を組込む面であり、本発明の新しいプレハブ式住宅の面は、この住宅の荷重の支承および伝達も担当する。
【０００９】
最後におよび顕著な特徴として、伝統的建築に於けると同様に、仕上げおよび左官工事作業を除いて一旦これらの囲壁および築壁が終了すると、本発明の住宅は囲壁のプレハブ式製作中に全ての設備を含み、その中に電気、給水、配管、暖房、電話、ドモティック設備等を組込んでいるので、据付けおよびサービスを現場で実行することを指摘しなければならない。
【００１０】
その上、その建設方法は、先ず第一にレイアウトをしてからおよび計画で得た寸法に従って、現場で作る基礎に始り、タイビームおよび囲壁を支持するための対応する台座を上記基礎に作る。
【００１１】
一旦これが終ると、次に実際の建設を以下の方法で関連する順序で行う。内部囲壁、分割囲壁、階段、スラブおよびこれらの内部壁と共に室を形成する外部囲壁、それが今度はこの住宅およびその建物正面全体に最終的仕上げを施し、屋根に終る。
【００１２】
一旦これらの作業全てを行うと、次に仮天井に達するであろう、給水、暖房、浴室設備等の全てを接続する。
【００１３】
続いて浴室装置、ボイラ、窓、ドアおよびその他の必要な構成材を、囲壁、柱およびスラブ等との全ての接合点を次に封止するために配置し、それを仕上げ剤および塗料で仕上げる。
【００１４】
なされる説明を補足するためかつ本発明の特徴のより良い理解を助けるために、本明細書にその不可欠部分として１組の図面を添付し、それにおいて以下のような例示的且つ非限定的特徴と共に示す。
【実施例】
【００１５】
前述の図面におよび使用する番号付けに従って、本発明が提案するプレハブ式鉄筋コンクリートの単身者型住宅の推奨する実施例を見ることができ、この図示する例は、二組住宅の計画に属しおよび以下に示し且つ詳しく説明する部品を含む。
【００１６】
これらの図面に適用する参照番号は、以下に列挙する部品に対応する。
１−  柱：  （１ａ）は左隅柱、（１ｂ）は中間正面柱、（１ｃ）は中間切妻柱、（１ｄ）は中心柱、および（１ｅ）は右隅柱である。
２−  フーチング
３−  柱溝
４−  外部囲壁
５−  柱の平鋼
６−  外部囲壁パネルのスカート
７−  スラブ
８−  内部分割囲壁
９−  屋根：（９ａ）は通常部品、（９ｂ）は特殊屋根窓部品である。
１０−  屋根窓
１１−  棟梁
１２−  棟梁溝
１３−  階段
１４−  装置配線
１５−  局部本線ソケット
１６−  地面板
１７−  半地階
１８−  一階
１９−  二階
２０−  屋根裏（アティク）
２１−  階段継手
【００１７】
提案する建築モデルは、このように囲壁（４）および分割囲壁（８）のための案内として使う柱（１）の配置および水盛りを定め、それらは、それぞれ図１ないし５に見られるように、それらの配置、左隅（１ａ）（図１）、中間正面（１ｂ）（図２）、中間切妻（１ｃ）（図３）、中心（１ｄ）（図４）および右隅（１ｅ）（図５）に従って異なる構成を採る。
【００１８】
柱（１）は、一工程プレハブ式鉄筋コンクリート製で図６で分るように補強したフーチング（２）で基礎に埋込んであり、横柱は中心柱より短く、適当な軸方向鉄筋と溝（３）が囲壁パネル（４）との本ざね継ぎ機構に属し、その大きさは柱によって変る。
【００１９】
図７の詳細で分るように、各柱（１）は、囲壁パネル（４）の上縁と柱（１）の実際の平鋼（５）の間の継手溶接を実施するために使う前述の溝（３）に結合した一連の平鋼（５）を有し、囲壁（４）が重力のために作用するだけでなく、それどころか水平方向に協同することも達成する。
【００２０】
このプレハブ式鉄筋コンクリートの囲壁パネル（４）が今度はこの組立体に支持能力を与える。これらの囲壁パネル（４）は、図８Ａないし８Ｃに見られるように、上部領域にあって、パネル全体に沿って伸びるスカート（６）を有し、それは、次に置く囲壁が対応するスラブ（７）に支持されるので、これらのスラブ（７）の縁を覆う機能しかない。この場合、囲壁（４）は、構造的能力を与え、スラブ（７）は、囲壁間の荷重の伝達を担当する。
【００２１】
囲壁（４）は、前述のように、重力のために作用することに加えて、柱（１）との溶接継手によって協働もする。
【００２２】
図９Ａないし９Ｃに描く例で分るように、この構造体と協働せず、この住宅の内部配分を担当するだけの内部パネル（８）もあり、これらの外部囲壁（４）と内部分割囲壁（８）の両方がドアおよび窓用に設けた対応する空所を有する。
【００２３】
図１０は、本発明が提案するプレハブ式住宅を形成する構成材の残り同様、プレハブ式鉄筋コンクリートであり且つ囲壁パネル（４）で支持されているスラブ（７）の例を示し、それらの縁は、前述のスカート（６）によって隠されている。
【００２４】
最後に、図１１Ａおよび１１Ｂで分るように、屋根（９）もプレハブ式鉄筋コンクリート製であり、屋根窓（１０）を作るための特殊部品（９ｂ）を備える切妻屋根である。
【００２５】
屋根の部品（９ａ）は、２点で支持され、一つは、棟梁（１１）であり、図１２の詳細で分るように、そこで部品が水平溝（１２）に挿入してあり、他は、囲壁（４）にあり、そこでこれらが移動を防ぎ且つ同時に梁の機能を果す部品を有する。
【００２６】
上記棟梁（１１）は、柱（１）の頭での二つの支持体を備える連続プレハブ式鉄筋コンクリート梁（図示する例では各住宅に一つ）であり、上記支持体は、側面に溶接ビードによって作った継手である（図１２）。
【００２７】
屋根（９）が囲壁（４）に生じることがあるスラストは、前述の平鋼（５）による柱（１）と囲壁（４）の間の溶接継手で解決する。何故なら、それらがこの構造体全体に横剛性を与えるからである。
【００２８】
図１３は、完全プレハブ式鉄筋コンクリート部品によって作った階段（１３）を示し、それには二つの異なる種類があり、第１の種類は、図１４の詳細で分るように、スラブ（７）に溶接した二つの継手（２１）があり、および第２の種類は、地面板（１６）に支えられた半地階（１７）を一階（１８）のスラブ（７）に結合する階段であり、且つ一階（１８）のスラブ（７）に溶接した継手（２１）を有する。
【００２９】
これらの階段（１３）の部品の建立を容易にするために、一連の支持体（図示せず）が囲壁（４）に配置してあるが、何も荷重負担能力はない。
【００３０】
屋根（９）が加える横力は、囲壁（４）と柱（１）の間に溶接継手を組込むことによって解決し、従って際梁受けは重力によるだけでなく、横応力に抗する協力もあることを指摘しなければならない。
有り得る耐震リスクを同じ方法で解決する。
【００３１】
この構造体に高度の延展性はないが、それは広い建物であるので、決定的要因とは考えない。
【００３２】
その上、本発明は、柱（１）を全断面を横断する２本のボルトによって運搬し且つ建立し、囲壁（４）をその上縁に収容した二つの固定点で建立且つ配置すること、およびスラブ（７）をプレハブプロセス中に主骨組に結合した、上面にある四つのアンカで配置することをもたらす。
【００３３】
最後に、本発明が提案するシステムでは、全ての局部据付けを囲壁（４）または内部壁材（８）の部品を製作するのと同じプロセスで行うのが都合が良い。
【００３４】
言換えれば、配線（１４）がそのケーシングと共に、図１５に描く例に示すように、囲壁（４）および内部パネル（８）および内部間仕切り（８）がコンクリートで作ってあるモールドに含まれていて、一旦コンクリートを流し込むと埋込まれる。
【００３５】
一旦これらの設備を囲壁（４）および内部パネル（８）に分配すると、囲壁の上縁にある局部本線ソケット（１５）への接続を担当する、仮天井の上を走る一般的な隠されたネットワークがある。
【００３６】
各階の配分が解決したので、続いて全ての設備の高さの配分のためにスラブ（７）の各床に作った、仮天井によって適当に覆われる、通路があり、それらの設備は、全て各場合に有効な規則に従う熱および冷水、配管、暖房、電気設備、通信およびドモティック設備から成る。
【００３７】
本発明が提案するプレハブ式鉄筋コンクリート単身者型住宅はモジュール建設方式であるので、荷重補償機能喪失を起さないようにそれを秩序正しい方法で建立し、以下の方法で高さが増すように実行する。
【００３８】
先ず第１に、柱（１）の荷重を含む他に、囲壁（４）のための支持体として使うように、互いに補強した補強フーチング（２）によって基礎を創る。
【００３９】
次に、完全に水平な地面板（１６）を伸す。
一旦完全に水平で且つ強いプラットフォームを得ると、前述の地面板（１６）、および全てのプレハブ式柱（１）をこれらのフーチング（２）に埋め、外部囲壁（４）を建立する。
【００４０】
初めは、半地階（１７）の囲壁が最初に置くべきものであり、この囲壁（４）を柱（１）の溝（３）にその頭からこの基礎の支持部まで嵌め込む。
【００４１】
この建立プロセスは、二つの基準を満たす。この建立は、直線的に且つ高さが増すように実行し、囲壁パネル（４）およびスラブ（７）のそれぞれのレベルに分割する。
【００４２】
要するに、このプロセスは次の通りである。
第１レベル−  半地階（１７）
基礎（フーチング（２））、地面板（１６）、柱（１）、外部囲壁パネル（４）、内部パネル（８）、階段（１３）。
第２レベル−  一階（１８）
スラブ（７）、外部パネル（４）、内部パネル（８）、階段（１３）。
第３レベル−  二階（１９）
スラブ（７）、外部パネル（４）、内部パネル（８）、階段（１３）。
第４レベル−  アティク（２０）
スラブ（７）、外部パネル（４）、内部パネル（８）、屋根の部品（９）。
【００４３】
一旦、構造的作業が終ると、次に最終的に塗装するために設備接続、ドアおよび窓の配置、浴室取付けを実施する。
【００４４】
本発明を実行に移す方法は勿論、その性質を十分説明したので、その本質的特徴内で、細部が例として示したものと異なる他の実施例を実行でき、それがその大原則を部分的に変更、全面的に変更または修正しない限り、請求する保護に同等に達するだろうことを申立てる。
【図面の簡単な説明】
【００４５】
【図１】本発明の住宅に組込んだ左隅柱の断面による断面図を示す。
【図２】本発明の住宅に組込んだ中間正面柱の断面による断面図を示す。
【図３】本発明の住宅に組込んだ中間切妻柱の断面による断面図を示す。
【図４】本発明の住宅に組込んだ中心柱の断面による断面図を示す。
【図５】本発明の住宅に組込んだ右隅柱の断面による断面図を示す。
【図６】一旦フーチングに埋込んだ幾つかの柱の立面図を示す。
【図７】各柱に組込んだ平鋼の一つの詳細を示す。
【図８Ａ】囲壁パネルの例の立面図を示す。
【図８Ｂ】囲壁パネルの例の縦断面図を示す。
【図８Ｃ】囲壁パネルの例の断面図を示す。
【図９Ａ】内部パネルの立面図を示す。
【図９Ｂ】内部パネルの縦断面図を示す。
【図９Ｃ】内部パネルの断面図を示す。
【図１０】スラブの構造の例の縦断面による断面図を示す。
【図１１Ａ】この住宅の屋根の立面図を示す。
【図１１Ｂ】この住宅の屋根の平面図を示す。
【図１２】屋根部品の棟梁との結合の詳細を示す。
【図１３】住宅の階段を形成する部品およびそれらを固定する態様を示す立面図である。
【図１４】この階段の部品のスラブとの接合部の詳細図である。
【図１５】囲壁の例の立面図であり、局部設備を接続するための配線が組込まれていることが分る。
【図１６】完成した住宅の縦断面による断面図であり、それを形成する全ての構成材をはっきりと示す。
【図１】
2009528464.tif 000003
【図２】
2009528464.tif 000004
【図３】
2009528464.tif 000005
【図４】
2009528464.tif 000006
【図５】
2009528464.tif 000007
【図６】
2009528464.tif 000008
【図７】
2009528464.tif 000009
【図８Ａ】
2009528464.tif 000010
【図８Ｂ】
2009528464.tif 000011
【図８Ｃ】
2009528464.tif 000012
【図９Ａ】
2009528464.tif 000013
【図９Ｂ】
2009528464.tif 000014
【図９Ｃ】
2009528464.tif 000015
【図１０】
2009528464.tif 000016
【図１１Ａ】
2009528464.tif 000017
【図１１Ｂ】
2009528464.tif 000018
【図１２】
2009528464.tif 000019
【図１３】
2009528464.tif 000020
【図１４】
2009528464.tif 000021
【図１５】
2009528464.tif 000022
【図１６】
2009528464.tif 000023
【国際調査報告】
2009528464.tif 000024
2009528464.tif 000025
2009528464.tif 000026
2009528464.tif 000027
2009528464.tif 000028
2009528464.tif 000029